(57)【要約】  シャックルと、シャックルを受ける通路を備える係合ハウジングと、シャックルに沿って隔置された少なくとも２つのロック部材とを有する一体型セキュリティシールであって、ロック部材が、それぞれロック部材の外面に対する少なくとも１つのアンダーカット開口部を有し、隣接するロック部材のアンダーカットが相互にずれ、少なくとも１つのピンがハウジング通路内に配置され、シャックルが通路を通って前進するにつれて、アンダーカットと係合するように配向されて、ハウジング内のシャックルの取外し不可能な係合を提供する。
2010521698.tif 000002
【特許請求の範囲】
【請求項１】
シャックルと、
前記シャックルを受ける通路を備える係合ハウジングと、
前記シャックルに沿って隔置された少なくとも２つのロック部材と、
を備え、
前記ロック部材が、それぞれ前記ロック部材の外面への少なくとも１つのアンダーカット開口部を有し、
隣接するロック部材の前記アンダーカットが相互にずれ、
前記通路内に配置され、前記シャックルが前記通路を通過する場合に、前記アンダーカットと係合するように配向された少なくとも１つのピンをさらに備える一体型セキュリティシール。
【請求項２】
前記一体型セキュリティシールが、ポリプロピレン、ポリエチレン又はナイロンからなるグループから選択される樹脂から一体成形される、請求項１に記載の一体型セキュリティシール。
【請求項３】
前記シャックルが、対向する少なくとも２つのほぼ平坦な面を有する中心部材を有する、請求項１に記載の一体型セキュリティシール。
【請求項４】
前記シャックルが、その遠位端にハンドルを含み、前記ハンドルが把持を容易にするぎざぎざを含む、請求項１に記載の一体型セキュリティシール。
【請求項５】
少なくとも１つのラベル貼付面を含む、請求項１に記載の一体型セキュリティシール。
【請求項６】
前記アンダーカット開口部が台形形状であり、入口開口部及び出口開口部を含み、前記入口開口部が前記出口開口部より大きく、前記アンダーカットが、前記入口及び出口開口部と交差する傾斜した傾斜壁を含み、前記シャックルが前記係合ハウジングを通って前進するにつれて、前記傾斜壁が前記ピンと係合するように配置され、従って前記傾斜壁と前記ピンとの前記係合により、前進するにつれて前記シャックルが回転する、請求項１に記載の一体型セキュリティシール。
【請求項７】
前記傾斜壁が、前記シャックルの縦軸に対して約１０°から２０°の角度である、請求項１に記載の一体型セキュリティシール。
【請求項８】
前記傾斜壁が、前記シャックルの前記縦軸に対して約１５°の角度である、請求項１に記載の一体型セキュリティシール。
【請求項９】
前記ピンが、所定の幅を有し、前記ピンの幅が、前記出口開口部の幅と実質的に等しい、請求項６に記載の一体型セキュリティシール。
【請求項１０】
前記傾斜壁が、前記入口開口部に隣接するボスを有する、請求項６に記載の一体型セキュリティシール。
【請求項１１】
前記ピンが、テーパ状ノーズ部分を有する、請求項１に記載の一体型セキュリティシール。
【請求項１２】
前記ロック部材が、それぞれ少なくとも１対の直径方向に対向するアンダーカットを有し、少なくとも１対の対向するピンが前記係合ハウジングの前記通路内に配置され、前記対向するピンの対が、前記ロック部材内の前記直径方向に対向するアンダーカットと係合するように配向される、請求項１に記載の一体型セキュリティシール。
【請求項１３】
前記ピンが、ベースと、前記ベースから後方に延びる突出部とを含み、前記ロック部材が、前記アンダーカットに対応する傾斜側部を有するスカロップ状縁部を含み、前記スカロップ状縁部が、前記突出部と係合するように配置され、前記傾斜側部が、前記シャックルの回転に抵抗するように配置される、請求項１に記載の一体型セキュリティシール。
【請求項１４】
前記ピンが、所定の長さを有し、前記ロック部材間の間隔が、前記ピンの前記所定の長さより短い、請求項１に記載の一体型セキュリティシール。
【請求項１５】
前記ピンの長さ、前記ロック部材の長さ、及び前記ロック部材間の間隔が予め決定され、ロック部材の長さと２つのロック部材間の間隔との合計が、前記ピンの長さより長い、請求項１に記載の一体型セキュリティシール。
【請求項１６】
シャックルと、
前記シャックルを受ける通路を備える係合ハウジングと、
前記シャックルに沿って隔置された少なくとも２つのロック部材と、
を備え、
前記ロック部材が、それぞれ前記ロック部材の外面に対する少なくとも１つの台形状のアンダーカット開口部を有し、これは前記台形状のアンダーカットの対向する端部にほぼ平行な入口及び出口開口部を含み、前記入口開口部が前記出口開口部より大きく、前記入口開口部及び出口開口部と交差する傾斜した傾斜壁をさらに有し、
隣接するロック部材の前記アンダーカットが相互にずれ、
前記通路内に配置され、前記シャックルが前記通路を通過する場合に、前記アンダーカットと係合するように配向された少なくとも１つのピンをさらに備える、
一体型セキュリティシール。
【請求項１７】
前記ロック部材が、それぞれ少なくとも１対の直径方向に対向するアンダーカットを有し、少なくとも１対の対向するピンが前記係合ハウジングの前記通路内に配置され、前記対向するピンの対が、前記ロック部材内の前記直径方向に対向するアンダーカットと係合するように配向される、請求項１６に記載の一体型セキュリティシール。
【請求項１８】
前記ピンが、ベースと、前記ベースから後方に延びる突出部とを含み、前記ロック部材が、前記アンダーカットに対応する傾斜側部を有するスカロップ状縁部を含み、前記スカロップ状縁部が、前記突出部と係合するように配置され、前記傾斜側部が、前記シャックルの回転に抵抗するように配置される、請求項１６に記載の一体型セキュリティシール。
【請求項１９】
前記ピンが、所定の長さを有し、前記ロック部材間の間隔が、前記ピンの前記所定の長さより短い、請求項１６に記載の一体型セキュリティシール。
【請求項２０】
シャックルと、
前記シャックルを受ける通路を備える係合ハウジングと、
前記シャックルと前記係合ハウジングの間に配置されたストラップと、
前記シャックルに沿って隔置された少なくとも近位側及び中間ロック部材と、
を備え、
前記ロック部材が、それぞれ前記ロック部材の外面へのアンダーカット開口部を有し、
隣接するロック部材の前記アンダーカットが相互にずれ、
前記通路内に配置され、前記シャックルが前記通路を通過する場合に、前記アンダーカットと係合するように配向された少なくとも１つのピンをさらに備える、
一体型セキュリティシール。
【請求項２１】
前記ロック部材が、それぞれ１対の直径方向に対向するアンダーカットと、前記通路内に配置され、前記直径方向に対向するアンダーカットと係合するように配向された少なくとも１対の対向するピンとを有する、請求項２０に記載の一体型セキュリティシール。
【請求項２２】
前記中間ロック部材の少なくとも前記アンダーカット開口部が、台形形状であり、入口開口部及び出口開口部を含み、前記入口開口部が、前記出口開口部より大きく、前記アンダーカットが、前記入口開口部及び出口開口部と交差する傾斜した傾斜壁を含み、前記シャックルが前記係合ハウジングを通って前進するにつれて、前記ピンと係合するように前記傾斜壁が配置され、従って前記壁と前記ピンが係合すると、前進するにつれて前記シャックルが回転する、請求項２１に記載の一体型セキュリティシール。
【請求項２３】
前記傾斜壁が、前記シャックルの前記縦軸に対して約１０°から２０°の角度である、請求項２２に記載の一体型セキュリティシール。
【請求項２４】
前記ロック部材が、それぞれ少なくとも１対の直径方向に対向するアンダーカットを有し、少なくとも１対の対向するピンが前記係合ハウジングの前記通路内に配置され、前記対向するピンの対が、前記ロック部材内で前記直径方向に対向するアンダーカットと係合するように配向される、請求項２０に記載の一体型セキュリティシール。
【請求項２５】
前記ピンが、予め決定された長さを有し、前記近位ロック部材と中間ロック部材の間の間隔が前記ピンの前記予め決定された長さより短い、請求項２０に記載の一体型セキュリティシール。
【請求項２６】
前記ピンが、予め決定された幅を有し、前記ピンの幅が、前記出口開口部の幅と実質的に等しい、請求項２２に記載の一体型セキュリティシール。
【請求項２７】
前記ピンが、ベースと、前記ベースから遠位方向に延びる第１のスパーとを含み、少なくとも前記中間ロック部材が第２のスパーを含み、前記第１及び第２のスパーが、前記シャックルの回転に抵抗するために連動するように配置される、請求項２０に記載の一体型セキュリティシール。
【請求項２８】
前記中間ロック部材の近位側に配置された入口ロック部材を含む、請求項２０に記載の一体型セキュリティシール。
【発明の詳細な説明】
【技術分野】
【０００１】
[001]  本発明は、セキュリティシールに関し、特に、シールの有効性又はセキュリティ属性を妥協せずに効率的に成形することができる一体型又は一体形成したセキュリティシールに関する。
【背景技術】
【０００２】
[002]  効率的かつ経済的に製造することができ、容易に使用されるセキュリティシールが大いに必要とされている。中空の本体を、シャックルと係合する内部可撓性フィンガとともに単一ユニットとして形成する成形プラスチックで形成されたシールを含め、多くのこのようなシールが現在入手可能である。
【０００３】
[003]  残念ながら、このタイプのプラスチックセキュリティシールを効率的に成形するために、従来の通念では、コラプシブルコア成形ツール部材を使用せずに１工程で成形することができるように、ハウジングは両端で開かねばならない。しかし、開放型ハウジングでは、通常、ピック又は他のツールがハウジング内に容易に通り、シャックルを保持するロックフィンガを係合解除して、それにより装置のセキュリティ機能が欺かれる。
【０００４】
[004]  長年にわたって、成形プラスチックセキュリティシールのこれらの欠点を解決するために多くの方法が提案されてきた。欠点がないものはない。従来技術で提案されている初期の方法が、図１Ａに図示されている。この設計では、閉じたロックハウジング２にピン４と係合する弾性ロック部材３を形成する。この設計は、製造するのが（不可能ではないまでも）極めて困難であり、複雑なコラプシブルコア成形システムを必要とし、これは、多くの従来のセキュリティシールに典型的な非常に小さい規模で実施すると、操作が困難で、多くの成形不良品を生産しやすく、長期の製造ダウンタイムになりやすいと考えられる。
【０００５】
[005]  図１Ｂに示すような従来技術の設計の別の例は、収容されるハウジング５と、収容されるハウジング内に装着されて、自身のボアを閉塞する別個のロック部材６とを含む。収容されるハウジング６は、装置のシャックルの端部にて係合レセプタクル７内に嵌合するように設計される。残念ながら、この設計は製造及び組立てが複雑で、費用がかかる。また、そのセキュリティ機能は、ハウジング５及びレセプタクル７から部材６を引き離し、シャックルを解放して、その後にシールが妨害されたという表示が一切ない状態で、その後に再度組み立てることによって損なわれることがある。
【０００６】
[006]  さらに別の従来技術の方法が、図１Ｃに示されている。この図に示されたセキュリティシールは、ボアの一方端が別個のカバー９で閉鎖された状態で、開放型ボアのロック部材８を含む。この場合も、この方法は、作成及び組立が複雑で、費用がかかり、損なわれ、再度組み立てられることがある。
【０００７】
[007]  従って、本発明の目的は、複雑なコラプシブルコア成形要素を使用せずに一体型装置として成形することができる設計のセキュリティシールを提供することである。
【０００８】
[008]  本発明の別の目的は、セキュリティ機能を欺くことが困難なセキュリティシールを提供することである。
【０００９】
[009]  本発明の別の目的は、装置を破壊せずに損なうことができないように、取り外し不可能な係合を達成するセキュリティシールを提供することである。
【００１０】
[010]  本発明のさらにもう１つの目的は、経済的に作成され、容易に操作されるセキュリティシールを提供することである。
【００１１】
[011]  上記及び他の目的及び利点は、以下で述べるような本発明により達成することができる。
【発明の概要】
【００１２】
[012]  本発明は、コラプシブル成形コア構成部品を使用せずに、１工程で成形することができる一体型セキュリティシールである。これは、シャックルと、シャックルを受ける通路を備える係合ハウジングとを含む。
【００１３】
[013]  シャックルは、自身に沿って隔置された少なくとも２つのロック部材を有する。ロック部材は、それぞれロック部材の外面へと延びる少なくとも１つのアンダーカット開口部を有する。隣接するロック部材のアンダーカット開口部は、相互にずれていなければならない。
【００１４】
[014]  好ましい実施形態では、ロック部材は直径方向に対向するアンダーカットの対を有し、アンダーカットは、シャックルの中心縦軸に対して鋭角で少なくとも１つの傾斜壁を含む。
【００１５】
[015]  一体型セキュリティシールは、係合ハウジングの通路内に配置された少なくとも１つのピンも含む。ピンは、シャックルが通路を通って移動するにつれて、ロック部材内のアンダーカットと係合するように配向される。好ましい実施形態では、通路はロック部材内の直径方向に対向するアンダーカットと係合するように配向された少なくとも１対の対向ピンを含む。本発明の別の代替実施形態では、一体型セキュリティシールは、シャックルと係合ハウジングの間に配置されたストラップと、シャックル上の少なくとも２つのロック部材とを有する。
【図面の簡単な説明】
【００１６】
[016]  新規であると考えられる本発明の特徴を、特許請求の範囲で詳細に述べる。本発明は、その目的及び利点とともに、以下の説明を以下の図面と組み合わせて考察することにより、最もよく理解することができる。図面では、類似の参照番号は幾つかの図で類似の要素を識別する。
【００１７】
【図１Ａ】[017]従来技術のセキュリティシールの図である。
【図１Ｂ】[017]従来技術のセキュリティシールの図である。
【図１Ｃ】[017]従来技術のセキュリティシールの図である。
【図２Ａ】[018]本発明による細長いセキュリティシールの斜視図である。
【図２Ｂ】[018]本発明による細長いセキュリティシールの斜視図である。
【図３】[019]図１のセキュリティシールの近位部分の立面図である。
【図４Ａ】[020]図３の線４Ａ−４Ａに沿って切り取った図１のセキュリティシールのシャックル受け係合ハウジングの拡大断面図である。
【図４Ｂ】[021]図３の線４Ｂ−４Ｂに沿って切り取った図１のセキュリティシールのシャックル受け係合ハウジングの拡大断面図である。
【図５】[022]３つの環状ロック要素を示す、図１のセキュリティシールのシャックルの一部の拡大立面図である。
【図５Ａ】[023]セキュリティシールの環状ロック部材の台形状のアンダーカットの略図である。
【図５Ｂ】[023]セキュリティシールの環状ロック部材の台形状のアンダーカットの略図である。
【図５Ｃ】[024]図５の線５Ｃ−５Ｃに沿って切り取った図１のセキュリティシールのシャックルの中心部材の断面図である。
【図６Ａ】[025]シャックルを係合ハウジングにロックして、引き抜きに抵抗するために、シャックルがセキュリティシールのシャックル受け係合ハウジング内を前進することを示す、図１のセキュリティシールの部分図である。
【図６Ｂ】[025]シャックルを係合ハウジングにロックして、引き抜きに抵抗するために、シャックルがセキュリティシールのシャックル受け係合ハウジング内を前進することを示す、図１のセキュリティシールの部分図である。
【図６Ｃ】[025]シャックルを係合ハウジングにロックして、引き抜きに抵抗するために、シャックルがセキュリティシールのシャックル受け係合ハウジング内を前進することを示す、図１のセキュリティシールの部分図である。
【図６Ｄ】[025]シャックルを係合ハウジングにロックして、引き抜きに抵抗するために、シャックルがセキュリティシールのシャックル受け係合ハウジング内を前進することを示す、図１のセキュリティシールの部分図である。
【図６Ｅ】[025]シャックルを係合ハウジングにロックして、引き抜きに抵抗するために、シャックルがセキュリティシールのシャックル受け係合ハウジング内を前進することを示す、図１のセキュリティシールの部分図である。
【図６Ｆ】[025]シャックルを係合ハウジングにロックして、引き抜きに抵抗するために、シャックルがセキュリティシールのシャックル受け係合ハウジング内を前進することを示す、図１のセキュリティシールの部分図である。
【図７】[026]シャックルとシャックル受け部材の間に可撓性の細長いストラップを有する本発明の代替実施形態の斜視図である。
【図８】[027]シールのハンドルを外した状態である図７のセキュリティシールの遠位端の拡大部分立面図である。
【図９】[028]図７のセキュリティシールのシャックル受け係合ハウジングの切り取り立面図である。
【図１０】[029]シャックル受け係合ハウジングとロック係合している図７のセキュリティシールのシャックルの立面図である。
【発明を実施するための形態】
【００１８】
[030]  次に図２Ａ及び図２Ｂを参照すると、本発明による一体型セキュリティシール１０が、装置の縦軸を中心に相互に１８０°回転した２つの図で示されている。一体型セキュリティシール１０は、ポリプロピレン、ポリエチレン、ナイロン又は他の適切な弾性樹脂から１工程で、コラプシブル成形コア構成要素を使用せずに成形することができる。セキュリティシールは、その遠位端にハンドル１４と、その近位端にシャックルベース１６とを有するシャックル１２を含む。ハンドル１４は、把持を容易にするぎざぎざ１８を含むことが好ましい。シャックルは、任意の所望の長さを有することができ、例えば、１８インチ（４５．７２ｃｍ）、１４インチ（３５．５６ｃｍ）、１０インチ（２５．４ｃｍ）又はそれより短い長さを有することができる。シャックル（及び装置のその他の部分）の材料及び寸法は、シャックルが以下で述べる装置の係合ハウジングの周囲で曲がるのに十分な可撓性を有することを確実に行うように選択される。
【００１９】
[031]  シャックルベース１６は、直立係合ハウジング２４を含むセキュリティシール台２２に取り付けられる。台２２は、図示の実施形態では拡大し、セキュリティシールに所望に応じてラベルを付けるために適切な平坦な「フラグ」表面２６Ａ及び２６Ｂを呈する。
【００２０】
[032]  係合ハウジング２４は、図２Ａ及び図２Ｂに示すようにロック解除構成されて曲がっていない構成である場合に、シャックル１２の縦軸に対してほぼ垂直に延びる円錐形部材２８を含む。円錐形部材２８は、自身を通って延びる中心ボア３０を有する。円錐形部材のベース２９は、外方向にフレア状に広がり、一連の三角形ブレース部材３１になって、強度を向上させ、係合ハウジングの一体性を確保する。ブレース部材は、台２２内に形成された円形台座３３上に載置する。
【００２１】
[033]  矢印３４が台２２の背面３６に成形されて、係合ハウジング内でシャックルの適切な不可逆性ロックを達成するために、必要に応じてハンドル１４及びシャックル１２をボア３０の入口３５に挿入するようにユーザに指示する。シャックルの不可逆性ロック特性については、以下でさらに詳細に説明する。
【００２２】
[034]  図３は、図２Ａ及び図２Ｂのセキュリティシールの近位端の一部の拡大立面図であり、直径方向に対向するピン３８Ａ及び３８Ｂがボア３０内に見られる。ピン（図４Ａ）の縦軸Ａは、ボアの軸に対してほぼ平行である（図示のように２本のピンが好ましいが、１本のピンを使用することもできる。）。図４Ａ及び図４Ｂの係合ハウジング２６の断面図では、ピン３８Ｂがボア３０の壁４０上に成形され、ボア内に延びることが分かる。ピン３８Ａ及び３８Ｂはほぼ同一であり、それぞれがほぼ平坦な傾斜側部４４及び４６を有するテーパ状ノーズ部分４２を含む。図示の実施形態では、これらの側部はピンの縦軸Ａに対して約３０°の角度であるが、任意の適切な角度でよく、軸に対して約２５から４０度の範囲の角度になることが好ましい。ピンは長さＣＣ及び幅ＤＤを有する。
【００２３】
[035]  ピン３８Ａ及び３８Ｂは、それぞれピンベース部分４８も含む。ベース部分は、ピンの外縁５２及び５４へと延びる窪み５０を有して、ピンのベース部分のいずれかの縁部に後ろ向きの突出部５６及び５８を生成する。
【００２４】
[036]  図５は、図２Ａ及び図２Ｂのセキュリティシールのシャックル１２の一部の拡大立面図である。ここで見られるように、シャックルは、一連の隔置された一体の環状ロック部材６２を担持する中心部材６０を含む。図示の実施形態の中心部材６０は、対向するほぼ平坦な面６３及び６５（図５Ｃ）を有し、これは係合ハウジング内のシャックルの係合を乗り越えるために十分な回転力がシャックルに伝達できる前に、中心部材が確実に破損するようにするのに役立つ。このようなシャックルの破損は、セキュリティシールが侵害されたことの信号になり、装置の不正な再使用を防止する。しかし、中心部材６０は所望に応じて円形又は他の断面形状でよい。
【００２５】
[037]  中心部材の中心縦軸は、（シャックルを周囲で曲げて、係合ハウジング内にロックする前の）図５に示すような直線の構成で、線「Ｂ」で表すようにほぼ直線である。ロック部材は、それぞれ長さ「ＡＡ」を有し、中心部材に沿って距離「ＢＢ」だけ相互に長手方向に隔置される。ロック部材６２内の台形状のアンダーカットを移動させて、ピンと整合するためのシャックルの回転は、以下で説明するように、ピンのベースで突出部５６及び５８と接触するスカロップ６７の上方向に傾斜した側部７１から抵抗を受ける。
【００２６】
[038]  ロック部材の長さＡＡとロック部材の間の間隔ＢＢとピンの長さＣＣとの特定の関係を、セキュリティシール内で以下のように維持しなければならない。
ＢＢ＜ＣＣ
ＡＡ＋ＢＢ＞ＣＣ
これらの関係を維持すると、シャックルが係合ハウジング内の所定の位置にある場合に、ピンが台形状のアンダーカットとの係合を維持し、ピンが隣接するロック部材間の間隔ＢＢ内で自由になる位置にシャックルが入れないことを確保するのに役立つ。
【００２７】
[039]  ロック部材６２は、それぞれ中心部材の平坦面６３及び６５から半径方向上方に延び、各環状ロック部材の遠位縁６６から近位縁６８へと延びる台形状のアンダーカット６４Ａ及び６４Ｂを有する。台形状のアンダーカットは、近位縁６８と同一の広がりを有する出口開口部７３と、遠位縁６６と同一の広がりを有する入口開口部７５とを有する。開口部７３及び７５は実質的に平行であり、開口部７５は開口部７３より大きい。従って、シャックルが移動して係合部材２４と係合するにつれ、ピン３８Ａ及び３８Ｂは開口部７５を通って入り、台形状のアンダーカット及び開口部７３を「漏斗状に通り抜ける」。出口開口部７３は、幅ＥＥを有する。ピン３８Ａ及び３８Ｂの幅ＤＤは、係合部材がピンから緩む尤度を最小となるようにするために、出口開口部の幅ＥＥと実質的に等しいことが好ましい。この場合、「実質的に等しい」とは、出口開口部の幅がピンの幅に対して、開口部の両側が係合している間にシャックルが係合ハウジングを通って前進するのを妨げない状態で、ピンが出口開口部を通過することができるようなサイズであることを意味する。
【００２８】
[040]  台形状のアンダーカット６４Ａ及び６４Ｂが、図５Ａ及び図５Ｂに概略的に図示されている。それ故、これらの図に見られるように、アンダーカット６４Ａは、曲げられていないシャックルの中心部材６０の縦軸Ｂにほぼ平行である内壁７０Ａと、縦軸Ｂに対して傾斜した傾斜外壁７２Ａとを有する。図示の実施形態では、傾斜壁の角度「Ｃ」は縦軸Ｂに対して約１５°である。ほぼこのサイズの角度が最も好ましいが、角度は、好ましくは、約１０から２０度の範囲であってもよい。アンダーカット６４Ｂは、一般にアンダーカット６４Ａの鏡像であり、従ってアンダーカット６４Ｂの内壁７０Ｂは縦軸Ｂにほぼ平行であり、傾斜外壁７２Ｂは、ほぼ内壁７２Ａの傾斜に対応する角度である。環状ロック部材の近位縁は、それぞれ図５に示すようなスカロップ６７を有する。傾斜壁７２Ａ及び７２Ｂは、切り下げ区域に入るピンの案内に役立ち、台形状のアンダーカットからのピンを裏打ちすることによって係合部材からのシャックルの取り外しに抵抗するために、入口開口部に隣接する台形状のアンダーカット区域内に突出する任意選択のボス７８及び８０も含むことができる。
【００２９】
[041]  台形状のアンダーカットの内壁及び傾斜壁は、個々の高いポイントで、又はその付近でスカロップ６７に接触する。従って、以下でさらに詳細に説明するように、ピン３８Ａ又は３８Ｂのベースにある突出部がスカロップの底部６９に突き当たると、シャックルが回転してピンを台形状のアンダーカットと整合するように配置する動作が、スカロップの上方向に傾斜した側部７１から抵抗を受ける。
【００３０】
[042]  次に図６Ａから図６Ｆを参照して、シャックル１２を方向「Ｃ」に係合ハウジング２４の入口３５に挿入した場合に達成される不可逆性ロック機能を説明する。それ故、シャックルの遠位端８２の一部は、第１の環状ロック部材６２Ａの台形状のアンダーカット６４Ｂの面７２Ｂがピン３８Ａの側部４６と係合した状態で、図６Ａに示されている。シャックル部材の遠位端がさらに係合ハウジングのボア３０に入ると、ピンが傾斜壁７０Ａに沿って乗り上げ、前進するシャックル部材が、ピンに当たった前進する傾斜壁に強制されて元に戻るか、反時計回りに回転する（図６Ｂ）。ピン３８Ａは、傾斜壁によって加えられた力によりわずかに屈曲することがあるが、シャックルがピンを越えると、元の位置に戻る。シャックルが図６Ｃに示す位置に到達すると、ピン３８のノーズ部分４２は、第１の環状ロック部材６２Ａと第２の環状ロック部材６２Ｂの間の空間８４Ａに入るにつれて、環状ロック部材６２Ａの台形状のアンダーカット６４Ｂから出てくる。
【００３１】
[043]  図６Ｅでは、シャックルの最も遠位側のロックリング６２Ａの台形状のアンダーカット６４Ｂがピンから係合解除されるにつれて、環状ロックリング６２Ｂの台形状のアンダーカット６４Ａがピン３８Ａのノーズ部分４２に突き当たるポイントまで前進したシャックル１２が図示されている。図６Ｅでは、シャックルが前進し続けると、接触面７０Ｂがピンに沿って動作し、それによってシャックルが元に戻り、傾斜壁７０Ｂに当たったピンに強制されて時計回りに回転する。これは、図６Ｆに示すように、ピンのベース部分４８が第１のロックリングの遠位壁６８をクリアするまで継続する。この位置で、ピン３８Ａ又は３８Ｂのベースにある突出部５６及び５８（図４Ａ）が、スカロップの底部６９に突き当たる。その結果、（方向「Ｄ」に動かすことによって）係合ハウジング２４からシャックルを外そうという試みは、これらの交差要素によって阻止される。また、シャックルを戻して、ロックハウジングから出すために、ピック又は他の部材を長手方向に通して、ボア３０に入れ、ピンに到達し、シャックルを回転しようとする試みは全て、対向して配向された台形状のアンダーカット６４Ａ及び６４Ｂのずれによって阻止される。さらに、ボアの近位端又は遠位端における試みも、同じ結果になる。シャックルがロックハウジング内へとさらに前進すると、これは、上述したように時計回り及び反時計回りに交互に回転する。シャックルを外そうとする試みは、ピンを過ぎるロック部材が多くなった後には、さらに困難になる。何故なら、存在するロック部材が多くなると、ボア穴３０内で、その近位側にある連続したロック部材毎に、ロック機構を打破することがさらに厄介になるからである。シャックルの取り外しに対するこの抵抗は、ピンを過ぎる傾斜壁の遠位方向への動作を阻止するのに役立つボス７８及び８０によって強化される。
【００３２】
[044]  図７から図１０は、セキュリティシール１００が、（セキュリティシール１０の特徴２２及び２４に対して上述のように構成された）係合ハウジング１０４と、遠位端にハンドル１０８を有する短縮されたシャックル１０６との間に配置されたほぼ平坦なストラップ１０２を備える本発明の代替実施形態を示す。図示の実施形態では、シャックル１０６は、３つの環状ロック部材１１０及び１１２及び１１４を含む。
【００３３】
[045]  図８には、シャックル１０６の遠位端（例示のためにシールのハンドルは除去されている）が示されている。この図に見られるように、シャックルは、ほぼ円形の断面である中心部材１１６を含む。この図で明らかであるように、連結部材１１０、１１２及び１１４は、それぞれ異なる構成を有するが、同じ長さ「ＡＡＡ」を有する。中間環状部材１１２から始まり、このロック部材は、中心部材１１６の面１２０から半径方向上方に延びる台形状のアンダーカット１１８を有することが分かる。この台形状のアンダーカットは、環状ロック部材１１２の遠位面１２２から近位面１２４へと延びる。近位面１２４はほぼ平坦であるが、近位方向のスパー１２６を含む。台形状のアンダーカットは、シャックルの縦軸にほぼ平行である内壁１２８と、傾斜外壁１３０とを含む。シャックルの軸に対する傾斜壁の角度は約１５°であり、約１０から２０度の範囲になることが好ましい。
【００３４】
[046]  最も遠位側の環状ロック部材１１０（「入口ロック部材」）は主に、シャックルが十分に係合している場合に、係合ハウジング１０４のボア１６０への入口を閉塞する働きをする。ロック部材は、外部側壁１３４及び内部側壁１３６を有するほぼ直線のアンダーカット１３２を含む。ほぼ直線のアンダーカットの壁の最も近位側の端部は、１３８及び１４０にて丸みをつけ、以下で説明するようにアンダーカットへとピン１６２Ａ又は１６２Ｂが入るのを容易にする。また、アンダーカット１３２は、アンダーカット１１８に対してずれ、アンダーカット間の明瞭な照準線を妨げ、それ故、係合ハウジング内に係合したシャックルのセキュリティに打ち勝つように意図されたピック又は他のツールが入ることも妨げる。これは、例えば、環状ロック部材１１０の内部側壁１３６から近位方向に延び、環状ロック部材１１２の傾斜外壁１３０と交差する破線１４２によって図示されている。
【００３５】
[047]  最後に、シャックル１０６は、ストラップ１０２に取り付けられた近位環状ロック部材１１４を含む。環状ロック部材１１４は、遠位面１４４と、中心部材１１６の面１２０から半径方向上方に延びる台形状のアンダーカット１４６とを有する。アンダーカット１４６は、ほぼ平坦な外壁１４８と、丸みをつけた入口点１５２を有する内壁１５０と、内側に傾斜したベース壁１５６とを含む。アンダーカット１４６は、そのベース１５８で閉じている。ロック部材１１０と１１２の間の間隔をＦＦＦとし、ロック部材１１２と１１４の間の間隔をＢＢＢとする。
【００３６】
[048]  図９には、中心ボア１６０を破線にした状態で係合ハウジング１０４が図示されている。この図では、ハウジング内のピン１６２Ａを明らかにするために、係合ハウジングの一部が切り取られている（視野の明瞭さを改良するために、ピン１６２Ｂが除去されている）。ピン１６２Ａは、ほぼピン３８Ａ及び３８Ｂのテーパ状ノーズ４２に対応するテーパ状ノーズ１６４を含む。ピン１６２Ａのベース１６６は、後方に突出して、環状ロック部材１１２のスパー１２６にほぼ対応するピンスパー１６８を含む。ピンは、長さＣＣＣ及び幅ＤＤＤを有する。図１から図７の本発明の実施形態の場合のように、ピンの長さＣＣＣは、環状部材１１２と１１４の間の間隔ＢＢＢより大きくなければならず、ピンの幅ＤＤＤは、係合部材１０４が緩む尤度を最小となるようにするために、台形状のアンダーカット１１８の出口開口部ＥＥＥと実質的に等しいことが好ましい。しかし、図示の実施形態では、環状部材１１０と１１２の間の間隔ＦＦＦは、環状部材１１２と１１４の間の間隔ＢＢＢより大きいことに留意されたい。何故なら、この実施形態では、環状部材１１２と１１４の台形開口部のずれを通して、及びスパー１２６と１６８の係合によって、重大なロック機能が達成されるからである。
【００３７】
[049]  次に図１０を参照すると、係合ハウジング１０４内にロックされたシャックル１０６の遠位端が図示されている。係合ハウジング内にロックされたシャックルの一部は、ハウジングの面の下にあるので、この図では破線で示されている。この図から明白になるように、シャックルを最初にハウジングに挿入した時に、ピン１６２Ａは（ピン１６２Ｂがシャックルの反対側にある類似のアンダーカットと整合された状態で）直線のアンダーカット１３２と整合され、シャックルが係合ハウジング内に前進するにつれて、アンダーカットがピンを通り過ぎている。アンダーカットがピンを通り過ぎて、ピンを環状ロック部材１１０と環状ロック部材１１２の間の空間ＦＦＦに配置すると、ピンのノーズ１６４がアンダーカット１１８の傾斜外壁１３０と遭遇し、傾斜壁がピンに沿って移動するにつれ、ピンがアンダーカット１１８の近位端に到達するまで、シャックルが回転する。到達したポイントで、前進するシャックルによってピン１６２Ａがアンダーカット１１８から現れ、環状ロック部材１１２と環状ロック部材１１４の間の間隔ＢＢＢを通る。シャックルが動作し続けると、ピンのノーズ１６４が近位環状ロック部材１１４のアンダーカット１４６に入り、傾斜したベース壁１５６がピンと係合すると、シャックルが元に戻るか、シャックルが係合部材内へとさらに移動するにつれて、反対方向に回転する。環状ロック部材１１２の近位端１２４がピンをクリアすると、ピンベースのスパー１６８も環状部材１１２のスパー１２６をクリアし、回転してスパー１２６と１６８を図示のように連動させ、係合ハウジング内にシャックルを不可逆的に固定する。従って、アンダーカットを通ってピンを戻すために、係合ハウジングを捻ろうとする試みは、スパー１２６と１６８との係合によって防止され、力ずくで係合ハウジングからシャックルを引き出そうとする試みは、ピンベース１６６とロック部材１１２の近位端との係合によって防止され、係合ハウジングにピック又は任意のツールを無理に入れようとする努力は、入口ロック部材１１０、及びアンダーカット１１８と１３２と１４６の間のずれ（従って、明瞭な照準線がないこと）によって防止される。
【００３８】
[050]  本明細書で引用した出版物、特許出願、及び特許を含む全ての参照文献は、各参照文献を参照により個別に及び明確に指定し、全体を本明細書に記載した場合と同じ程度に参照により本明細書に組み込むものとする。
【００３９】
[051]  本発明の説明で（特に特許請求の範囲で）、「１つの」及び「前記」という用語を使用するか、類似の言及をした場合、それは他の指定がない限り、又は文脈と明白に矛盾していない限り、単数と複数の両方を含むものと解釈されたい。本明細書における値の範囲への言及は、他の指定がない限り、範囲内に入る別個の各値を個別に言及する省略方法として働くように意図されたものにすぎず、別個の各値は、個別に言及されたかのように本明細書に組み込むものとする。本明細書で説明した全ての方法は、他の指定がない限り、又は文脈と明白に矛盾していない限り、任意の適切な順序で実行することができる。本明細書で提供される任意かつ全ての例、又は例示的言葉（例えば「など」）の使用は、単に本発明をより明らかにするように意図されたもので、他に別段の指定がない限り、本発明の範囲に制限を設けるものではない。本明細書のいかなる言葉も、特許請求の範囲にない任意の要素が本発明を実施するために必須であることを示すものと解釈してはならない。
【００４０】
[052]  本明細書では、本発明を実行するために本発明の発明者が知っている最善の方法を含めて、本発明の好ましい実施形態を説明している。説明してきた実施形態は例示としてのものに過ぎず、本発明の範囲を制限するものと解釈してはならないことを理解されたい。
【図１Ａ】
2010521698.tif 000003
【図１Ｂ】
2010521698.tif 000004
【図１Ｃ】
2010521698.tif 000005
【図２Ａ】
2010521698.tif 000006
【図２Ｂ】
2010521698.tif 000007
【図３】
2010521698.tif 000008
【図４Ａ】
2010521698.tif 000009
【図４Ｂ】
2010521698.tif 000010
【図５】
2010521698.tif 000011
【図５Ａ】
2010521698.tif 000012
【図５Ｂ】
2010521698.tif 000013
【図５Ｃ】
2010521698.tif 000014
【図６Ａ】
2010521698.tif 000015
【図６Ｂ】
2010521698.tif 000016
【図６Ｃ】
2010521698.tif 000017
【図６Ｄ】
2010521698.tif 000018
【図６Ｅ】
2010521698.tif 000019
【図６Ｆ】
2010521698.tif 000020
【図７】
2010521698.tif 000021
【図８】
2010521698.tif 000022
【図９】
2010521698.tif 000023
【図１０】
2010521698.tif 000024
【国際調査報告】
2010521698.tif 000025